(57)【要約】【課題】ナス科植物において生理障害を抑制する方法を提供する。【解決手段】本発明の一観点に係るナス科植物における生理障害の抑制方法は、気孔を閉鎖させた状態で接ぎ木を行うことを特徴とする。また本観点において、生理障害は、ｉｎｔｕｍｅｓｃｅｎｅ、ｏｅｄｅｍａ、ｎｅｏｐｌａｓｍｓ、ｅｎａｔｉｏｎｓ、ｇｅｎｅｔｉｃ  ｔｕｍｏｒｓ、ｎｏｎ−ｐａｔｈｏｇｅｎｉｃ  ｇｅｌｌｓの少なくともいずれかであることが好ましい。また本観点において、気孔を閉鎖させる手段は、暗黒処理、アブシジン酸処理及びラノリン塗布の少なくともいずれかであることが好ましい。また、本発明の他の一観点に係るナス科植物における生理障害の抑制方法は、閉鎖空間内における湿度を７０％以下に維持することを特徴とする。【選択図】図１
2017012081.tif 000002
【特許請求の範囲】
【請求項１】
気孔を閉鎖させた状態で接ぎ木を行うナス科植物における生理障害の抑制方法。
【請求項２】
前記生理障害は、ｉｎｔｕｍｅｓｃｅｎｅ、ｏｅｄｅｍａ、ｎｅｏｐｌａｓｍｓ、ｅｎａｔｉｏｎｓ、ｇｅｎｅｔｉｃ  ｔｕｍｏｒｓ、ｎｏｎ−ｐａｔｈｏｇｅｎｉｃ  ｇｅｌｌｓの少なくともいずれかである請求項１記載のナス科植物における生理障害の抑制方法。
【請求項３】
前記気孔を閉鎖させる手段は、暗黒処理、アブシジン酸処理及びラノリン塗布の少なくともいずれかである請求項１記載のナス科植物における生理障害の抑制方法。
【請求項４】
閉鎖空間内における湿度を７０％以下に維持するナス科植物における生理障害の抑制方法。
【請求項５】
前記生理障害は、ｉｎｔｕｍｅｓｃｅｎｅ、ｏｅｄｅｍａ、ｎｅｏｐｌａｓｍｓ、ｅｎａｔｉｏｎｓ、ｇｅｎｅｔｉｃ  ｔｕｍｏｒｓ、ｎｏｎ−ｐａｔｈｏｇｅｎｉｃ  ｇｅｌｌｓの少なくともいずれかである請求項４記載のナス科植物における生理障害の抑制方法。
【発明の詳細な説明】
【技術分野】
【０００１】
本発明は、ナス科植物における生理障害の抑制方法に関する。
【背景技術】
【０００２】
ナス科植物において発生する生理障害、例えばｉｎｔｕｍｅｓｃｅｎｅ、ｏｅｄｅｍａ、ｎｅｏｐｌａｓｍｓ、ｅｎａｔｉｏｎｓ、ｇｅｎｅｔｉｃ  ｔｕｍｏｒｓ、ｎｏｎ−ｐａｔｈｏｇｅｎｉｃ  ｇｅｌｌｓは、葉に非病原性のこぶ状突起物やカルスを形成する。例えば下記非特許文献１には、上記生理障害が様々な作物で発生することについて報告されている。
【先行技術文献】
【非特許文献】
【０００３】
【非特許文献１】Ｒｏｂｅｒｔ  Ｃ．  Ｍｏｒｒｗら，“Ｅｖｉｄｅｎｃｅ  ｏｆ  Ｉｎｖｏｌｖｅｍｅｎｔ  ｏｆ  Ｐｈｙｔｏｃｈｒｏｍｅ  ｉｎ  Ｔｕｍｏｒ  Ｄｅｖｅｌｏｐｍｅｎｔ  ｏｎ  Ｐｌａｎｔｓ”，Ｐｌａｎｔ  Ｐｈｙｓｉｏｌ．，（１９８８）８８，１１１０−１１１４
【発明の概要】
【発明が解決しようとする課題】
【０００４】
しかしながら、上記生理障害が発生するメカニズム及び上記生理障害に対する明確な対策は存在しておらず、ひとたび発生すると育成が遅延する、商品価値を著しく損ねるといった課題が発生する。
【０００５】
そこで、本発明は、上記課題に鑑み、ナス科植物において生理障害を抑制する方法を提供することを目的とする。
【課題を解決するための手段】
【０００６】
本発明者らは上記課題について鋭意検討を行ったところ、高湿度条件で葉の気孔が開いた状態に生理障害が発生する一方、気孔が閉じた状態であれば生理障害を抑制することができることを発見し、本発明を完成させるに至った。
【０００７】
すなわち、本発明の一観点に係るナス科植物における生理障害の抑制方法は、気孔を閉鎖させた状態で接ぎ木を行うことを特徴とする。
【０００８】
なお本観点において、生理障害は、ｉｎｔｕｍｅｓｃｅｎｅ、ｏｅｄｅｍａ、ｎｅｏｐｌａｓｍｓ、ｅｎａｔｉｏｎｓ、ｇｅｎｅｔｉｃ  ｔｕｍｏｒｓ、ｎｏｎ−ｐａｔｈｏｇｅｎｉｃ  ｇｅｌｌｓの少なくともいずれかであることが好ましい。
【０００９】
また本観点において、気孔を閉鎖させる手段は、暗黒処理、アブシジン酸処理及びラノリン塗布の少なくともいずれかであることが好ましい。
【００１０】
また、本発明の他の一観点に係るナス科植物における生理障害の抑制方法は、閉鎖空間内における湿度は７０％以下に維持することが好ましい。
【発明の効果】
【００１１】
以上、本発明により、ナス科植物において生理障害を抑制する方法を提供することができる。
【図面の簡単な説明】
【００１２】
【図１】ナス科植物の被害指数（発生率×発生度合）について示す図である。
【図２】ナス科植物の葉裏面にラノリンを塗布し調査を行った結果を示す図である。
【図３】ナス科植物を暗黒下に置き被害指数の調査を行った結果を示す図である。
【図４】気孔開口部の面積及び暗黒処理時間に対する気孔閉鎖反応の品種依存性について示す図である。
【発明を実施するための最良の形態】
【００１３】
以下、本発明の実施形態について、図面を用いて詳細に説明する。ただし、本発明は多くの異なる形態による実施が可能であり、以下に示す実施形態、実施例の例示に限定されるものではない。
【００１４】
（実施形態１）
本実施形態に係るナス科植物における生理障害の抑制方法は、気孔を閉鎖させた状態で接ぎ木を行うことを特徴とする。
【００１５】
本実施形態において、生理障害とは、葉に非病原性のこぶ状突起物やカルスを形成する障害であって、この限りにおいて限定されるわけではないが、例えばｉｎｔｕｍｅｓｃｅｎｅ、ｏｅｄｅｍａ、ｎｅｏｐｌａｓｍｓ、ｅｎａｔｉｏｎｓ、ｇｅｎｅｔｉｃ  ｔｕｍｏｒｓ、ｎｏｎ−ｐａｔｈｏｇｅｎｉｃ  ｇｅｌｌｓが該当する。
【００１６】
また本実施形態において、ナス科植物とは、特に限定されるわけではないが、ナス、トマト、トウガラシ、ジャガイモ等を例示することができる。
【００１７】
また、本実施形態において、気孔を閉鎖させる手段は、様々な方法を用いることができ、例えば暗黒処理、アブシジン酸処理及びラノリン塗布の少なくともいずれかであることは好ましい一例である。
【００１８】
ここで「暗黒処理」とは、植物に照明が当たらないようにする処理であって、限定されるわけではないがより具体的には、植物を一定期間暗室に静置することを例示することができる。
【００１９】
またここで「アブシジン酸処理」は、アブシジン酸を葉に塗布又は散布する処理をいう。アブシジン酸処理を行うことで、気孔を閉鎖することができる。なお、アブシジン酸処理は、上記効果を奏する限りにおいて限定されるわけではないが、アブシジン酸を含む溶液を植物の葉に対して噴霧することを例示できる。
【００２０】
またここで「ラノリン塗布」とは、葉の裏にラノリンを塗布する処理をいい、この結果、葉の裏にある気孔を物理的に閉鎖することが可能となる。
【００２１】
以上、本実施形態により、ナス科植物において生理障害を抑制する方法を提供することができる。
【００２２】
ところで、本実施形態の効果及びその効果をもたらす原理について、実際に実験を行い確認した。以下具体的に説明する。
【００２３】
本発明者らは、上記ナス科植物の生理障害が、定温、低日照、高湿度、土壌の水分含有量が多い場合に発生する頻度が高くなることに着目し、以下の検討を行った。
【００２４】
まず、ナス科植物のトマトの品種として「桃太郎ヨーク」、「りんか４０９」、「麗夏」、「麗容」の４種を用い、上記各品種に対し下記条件にて播種後７日、１０日、１４日、１７日、又は２１日育苗し、子葉下２．５ｃｍで切断したトマト苗を挿し木し、ＲＨ９９．５％以上の暗黒プラスチックコンテナに入れた。
【００２５】
（育苗条件）
明暗期長：１４／１０ｈ
温度    ：２２／１８℃
ＣＯ２濃度：１０００μｍｏｌ・ｍｏｌ−１
培養液  ：園試処方１／２単位１回・日−１
播種後７日、１０日、１４日、１７日、２１日間育苗
【００２６】
この結果の被害指数（発生率×発生度合）について図１に示す。本図で示されるように、りんか４０９では初期の段階（１０日、１４日）で、麗夏は後期の段階（１７日、２１日）で被害が大きいことを確認した。
【００２７】
そこで、上記の結果を受け、「りんか４０９」及び「麗夏」に対し、上記条件で同様に育苗し、育苗１２日後に、葉裏面にラノリンを塗布し、上記と同様の調査を行った。この結果を図２に示しておく。なお、ラノリンの塗布においては、含水率を０％、２５％、５０％としてそれぞれ育苗した。
【００２８】
この結果、ラノリンなしの場合は被害指数が多く、含水率２５％のラノリンを塗布した場合、含水率５０％のラノリンを塗布した場合は被害指数が比較的抑えられ、含水率０％のラノリンでは被害を十分に抑えることができた。すなわち、ラノリンによって物理的に気孔を閉じ、水分を必要以上に葉内に含ませないことで生理障害を抑えることができるのを確認した。
【００２９】
また、今度は、「りんか４０９」に対し、上記と同様の条件の下、育苗１２日後７時間暗黒下に置き、上記と同様の処理を行い、被害指数の調査を行った。この結果を図３に示す。なお比較対象として暗黒下に置かなかったものも同様に処理した。
【００３０】
この結果、暗黒処理を行わない場合に比べ、暗黒処理を行った場合は、９０％ほど被害指数が提言していることを確認した。すなわち、暗黒処理を行うことで気孔を閉鎖し、その状態で挿し木をすることで生理障害を抑制していると考えられる。
【００３１】
なお、図４に、気孔開口部の面積及び暗黒処理時間に対する気孔閉鎖反応の品種依存性について示しておく。ここでは生理障害の発生しやすい「りんか４０９」と生理障害の発生しにくい「麗容」とを比較している。
【００３２】
本図によると、りんか４０９は気孔開口部面積が大きく、また暗黒下での気孔閉鎖反応が遅い一方、麗容では、機構開口部面積が小さく、暗黒下での気孔閉鎖反応が早いことが確認できる。すなわち、気孔開口部面積が大きく、気孔閉鎖反応が遅いりんか４０９では気孔から水分が侵入することによって生理障害が発生しやすくなってしまっていると考えることができる。
【００３３】
以上、これらの実施例によって、ナス科植物において生理障害を抑制する方法を提供することができるのを確認した。
【００３４】
（実施形態２）
なお、上記実施形態では、挿し木を行う際に気孔を閉鎖しておくことで生理障害を抑制する方法について言及したが、本実施形態では、挿し木を行った後、挿し木を行わない場合において生理障害を抑制する方法について提案する。
【００３５】
本実施形態では、上記のとおり、気孔が開いた状態で高湿度となることによって生じることが明確となったため、植物を閉鎖空間内に配置し、その閉鎖空間内における湿度を７０％以下に維持することで生理障害を抑制することができる。こうすることでより高品質なナス科植物を育苗、育成することが可能となる。
【産業上の利用可能性】
【００３６】
本発明は、ナス科植物の育苗、育成方法として産業上の利用可能性がある。
【図１】
2017012081.tif 000003
【図２】
2017012081.tif 000004
【図３】
2017012081.tif 000005
【図４】
2017012081.tif 000006